(57)【特許請求の範囲】
【請求項１】
ゴルファーがゴルフボールを打撃する際に打撃方向前側に位置する軸足靴体と打撃方向後側に位置する蹴足靴体とからなり、この軸足靴体及び蹴足靴体は靴底本体を備えており、この靴底本体の底面にゴム又は合成樹脂からなる突起が多数形成されているゴルフ靴であって、
軸足靴体には、爪先方向に凸であり且つ踵方向には凸でない形状を有する側壁を備えた突起が主として形成されており、蹴足靴体には、踵方向に凸であり且つ爪先方向には凸でない形状を有する側壁を備えた突起が主として形成されていることを特徴とするゴルフ靴。
【請求項２】
上記軸足靴体の鉛直断面における爪先方向に凸である側壁と靴底本体とのなす内角が６０°以上である請求項１に記載のゴルフ靴。
【請求項３】
上記蹴足靴体の鉛直断面における踵方向に凸である側壁と靴底本体とのなす内角が６０°以上である請求項１又は２に記載のゴルフ靴。
【請求項４】
上記軸足靴体及び蹴足靴体のそれぞれにおける、靴底本体の底面積に占める突起の合計接地面積の比率が２０％以上８０％以下である請求項１から請求項３のいずれか１項に記載のゴルフ靴。
【請求項５】
上記軸足靴体及び蹴足靴体のそれぞれにおける突起の数が１０個以上１０００個以下である請求項１から請求項４のいずれか１項に記載のゴルフ靴。
【請求項６】
上記軸足靴体の突起が爪先方向に凸である線に沿って形成されており、蹴足靴体の突起が踵方向に凸である線に沿って形成されている請求項１から請求項５のいずれか１項に記載のゴルフ靴。
【請求項７】
上記軸足靴体及び蹴足靴体の各突起が、円柱及び円筒のうちのいずれか一における、凸でない側がその軸に沿った面又は斜めの面によって切除された形状を有している請求項１から請求項６のいずれか１項に記載のゴルフ靴。
【発明の詳細な説明】
【０００１】
【発明の属する技術分野】
本発明はゴルフ靴に関するものであり、特にゴルフ靴の底面のパターンの改良に関するものである。
【０００２】
【従来の技術】
ゴルファーがゴルフボールを打撃する際は、左右の足先を結ぶ線が打撃方向とほぼ平行となるようにアドレスする。右利きのゴルファーのアドレスでは、左足が打撃方向前側に位置し、右足が打撃方向後側に位置する。アドレスでは、ゴルフクラブのヘッドはゴルフボールの近くに位置する。この状態からゴルファーはテイクバックを開始し、ヘッドを後へ、次いで上方へと振り上げる。最もヘッドが振り上げられた位置がトップ位置である。トップ位置からダウンスイングが開始されてヘッドが振り下ろされ、ヘッドがゴルフボールと衝突する（インパクト）。インパクト後、ゴルファーはゴルフクラブを前方へ、次いで上方へと振り抜き（フォロースルー）、フィニッシュを迎える。
【０００３】
トップ位置からフィニッシュにかけて、ゴルファーは左足を軸としてボディターンを行う。同時にゴルファーは、右足で地面を蹴ってその力をゴルフボールに伝える。つまり、右利きのゴルファーは、左足を軸足として使い、右足を蹴足として使う。左利きゴルファーの場合は、逆に右足を軸足として使い、左足を蹴足として使う。
【０００４】
トップ位置からフィニッシュにかけて、ゴルファーの両足には大きな力がかかる。この力によって、ゴルフ靴が地面とスリップを起こすことがある。スリップが起こると、スイングフォームが乱れてミスショットが発生してしまうことがある。
【０００５】
防滑（スリップの防止）のため、ゴルフ靴の底面に金属又はセラミクスからなる針状のスパイクピンが設けられることがある。このゴルフ靴ではスリップはかなり防止されるものの、スパイクピンがパッティンググリーンの芝生、クラブハウスの床、ゴルフコース中に設けられた歩行用通路の路面等を傷めるという問題が指摘されている。また、スパイクピンを備えたゴルフ靴では下からの突き上げ感があり、ゴルファーにとって履き心地のよいものではない。スパイクピンを備えたゴルフ靴は、近年ではあまり好まれて用いられてはいない。
【０００６】
スパイクピンに代えてゴムや合成樹脂からなる突起が底面に設けられたゴルフ靴が提案され、普及しつつある。このゴルフ靴では、芝生等が傷つけられることが少なく、履き心地にも優れる。しかしながらこのゴルフ靴では、突起の防滑性能がスパイクピンに比べて劣るという問題がある。特許第２９４６２１５号公報には、前述のような左足と右足との役割の相違が考慮され、左足用の靴体と右足用の靴体とで突起のパターンが異なるゴルフ靴が提案されているが、防滑性能向上の観点から未だ改良の余地がある。
【０００７】
【発明が解決しようとする課題】
本発明者がトップ位置からインパクトにかけて足にかかる力のベクトル（すなわち大きさと方向）を調査したところ、以下のことが判明した。
【０００８】
まず軸足では、力は大まかには踵から爪先に向かう方向（以下「正面方向」と称される）にかかっている。詳細には、トップ位置では力は足の打撃方向後寄り（ゴルファーの軸足にとってのインサイド寄り）に主としてかかっており、その向きもやや後側向きな正面方向である。スイングの進行に応じて、主として力のかかる位置は足の中央へ、そして前寄り（ゴルファーの軸足にとってのアウトサイド寄り）へと移行する。また、スイングの進行に応じて、力の方向も完全な正面方向へ、そしてやや前側向きな正面方向へと移行する。これらの変化は、軸足が軸とされたボディーターンと体重の移動とに起因すると考えられる。
【０００９】
次に蹴足では、力は大まかには爪先から踵に向かう方向（以下「背面方向」と称される）にかかっている。詳細には、トップ位置では力は足の打撃方向前寄り（ゴルファーの蹴足にとってのインサイド寄り）に主としてかかっており、その向きもやや前向きの背面方向である。スイングの進行に応じて、主として力のかかる位置は足の中央へ、そして後寄り（ゴルファーの蹴足にとってのアウトサイド寄り）へと移行する。また、スイングの進行に応じて、力の方向も完全な背面方向へ、そしてやや後向きな背面方向へと移行する。これらの変化は、ダウンスイング開始時の蹴足から軸足への体重移動と、その後の蹴足の回転とに起因すると考えられる。
【００１０】
本発明はこれらの知見に基づいてなされたものであり、ゴルフスイング中のスリップが抑制されるゴルフ靴の提供をその目的とするものである。
【００１１】
【課題を解決するための手段】
上記の目的を達成するためになされた発明は、
ゴルファーがゴルフボールを打撃する際に打撃方向前側に位置する軸足靴体と打撃方向後側に位置する蹴足靴体とからなり、この軸足靴体及び蹴足靴体は靴底本体を備えており、この靴底本体の底面にゴム又は合成樹脂からなる突起が多数形成されているゴルフ靴であって、
軸足靴体には爪先方向に凸である側壁を備えた突起が主として形成されており、蹴足靴体には踵方向に凸である側壁を備えた突起が主として形成されていることを特徴とするゴルフ靴、
である。
【００１２】
このゴルフ靴では、軸足靴体及び蹴足靴体のそれぞれに、スイング中に軸足及び蹴足のそれぞれにかかる力のベクトルの変動に応じた突起が形成されている。すなわち、突起は、トップ位置からインパクトにかけてのそれぞれの時点の力のベクトルとほぼ直交する側壁を備えている。従って、ゴルフ靴と地面とのスリップ（軸足靴体の略爪先方向へのスリップ及び蹴足靴体の略踵方向へのスリップ）が抑制される。
【００１３】
好ましくは、軸足靴体の鉛直断面における爪先方向に凸である側壁と靴底本体とのなす内角は、６０°（ｄｅｇｒｅｅ）以上である。また、好ましくは、蹴足靴体の鉛直断面における踵方向に凸である側壁と靴底本体とのなす内角も、６０°以上である。内角が６０°以上とされることにより、ゴルフ靴の防滑性能がより向上する。
【００１４】
好ましくは、軸足靴体及び蹴足靴体のそれぞれにおける靴底本体の底面積に占める突起の合計接地面積の比率は、２０％以上８０％以下である。これにより、ゴルフ靴の防滑性能がより向上する。
【００１５】
好ましくは、軸足靴体及び蹴足靴体のそれぞれにおける突起の数は、１０個以上１０００個以下である。これにより、ゴルフ靴の防滑性能がより向上する。
【００１６】
好ましくは、軸足靴体の突起は、爪先方向に凸である線に沿って形成される。また、蹴足靴体の突起は、踵方向に凸である線に沿って形成される。これにより、ゴルフ靴の防滑性能がさらに向上し、また、ゴルファーのスイングしやすさが向上する。
【００１７】
【発明の実施の形態】
以下、適宜図面が参照されつつ、本発明の実施形態が説明される。なお、以下の説明で用いられる図面は、全て右利きゴルファー用のゴルフ靴の図面である。従って、軸足靴体が左足に着用され、蹴足靴体が右足に着用される。左利きゴルファー用のゴルフ靴は、以下の図面に示される形状が左右反転された形状となる。
【００１８】
図１（ａ）は本発明の一実施形態にかかるゴルフ靴の軸足靴体１が示された底面図であり、図１（ｂ）はこのゴルフ靴の蹴足靴体３が示された底面図である。なお、図示されていないが、このゴルフ靴は、通常のゴルフ靴と同様のアッパー部等を備えている。図１（ａ）及び図１（ｂ）において右方向が打撃方向前側であり、左方向が打撃方向後側であり、上方向が爪先方向であり、下方向が踵方向である。
【００１９】
軸足靴体１は、靴底本体５を備えている。この靴底本体５の底面には、多数の突起７が形成されている。底面のうち突起７以外の部分は、平坦部９である。靴底本体５及び突起７は、一体的に成形されている。靴底本体５及び突起７は、ゴム又は合成樹脂を主成分とする組成物から成形されている。
【００２０】
図２は、軸足靴体１の突起７が示された拡大斜視図である。この突起７は、略半円状の底面１１を備えた柱体（すなわち、円柱をその軸に沿って半分に分割した立体に類似の形状）である。図１（ａ）と図２との対比から明らかなように、図２における矢印Ａの方向が爪先方向である。この突起７の側壁は、曲面である爪先側壁１３と矩形の平面である踵側壁１５とからなる。爪先側壁１３は、爪先方向に凸な形状である。爪先側壁１３の打撃方向に沿った幅（図２において両矢印Ｗで示される）は、爪先寄りほど小さくなっている。この突起７は、爪先方向に凸であり踵方向に凸でないものである。
【００２１】
図１（ａ）において符号Ｔｊで示される矢印は、トップ位置で軸足にかかる力のベクトルである。また、符号Ｉｊで示される矢印は、インパクト直前で軸足にかかる力のベクトルである。トップ位置からインパクト直前にかけてのスイングにおいて軸足にかかる力の位置と方向とは、矢印Ｔｊの状態から矢印Ｉｊの状態へと、図においてほぼ時計回り方向に刻々と変化する。
【００２２】
前述のように爪先側壁１３は爪先方向に凸な形状なので、矢印Ｔｊの状態から矢印Ｉｊの状態へと力のベクトルが移行するいずれの時点においても、爪先側壁１３のいずれかの部分がベクトル方向とほぼ直交する。これにより、軸足靴体１のスリップが有効に抑制される。
【００２３】
突起７が爪先方向に凸な形状とされることにより、例えば断面形状が円である突起が形成された場合に比べて、接地面積が抑制されつつ、十分な防滑性能が発現される。
【００２４】
爪先側壁１３は爪先方向に凸であれば足り、その形状は制限されない。例えば、この線は円弧状でもよく、放物線状でもよい。また、例えばサインカーブのような途中に変曲点を有する曲線でもよい。また、複数の線分の組み合わせや、線分と曲線の組み合わせでもよい。
【００２５】
図３は、図２のIII−III線に沿った断面斜視図（鉛直断面斜視図）である。この図では、突起７と共に、靴底本体５が示されている。この図においてαで示されているのは、爪先側壁１３と靴底本体５とのなす内角である。この内角は６０°以上が好ましく、８０°以上が特に好ましい。内角αが上記範囲未満であると、軸足靴体１の防滑性能が不十分となってしまうことがある。また、この内角は、１２０°以下が好ましい。内角αが１２０°を超えると、靴底本体５の成形時に脱型が困難となってしまうことがある。なお、この軸足靴体１では、内角αはほぼ９０°である。
【００２６】
突起７の高さ（図３において両矢印Ｈで示される）は、２ｍｍ以上２５ｍｍ以下が好ましく、５ｍｍ以上１２ｍｍ以下が好ましい。高さＨが上記範囲未満であると、防滑性能が不十分となってしまうことがある。逆に、高さＨが上記範囲を超えると、突起７が屈曲してしまうことがある。
【００２７】
蹴足靴体３（図１（ｂ）参照）も、靴底本体１７を備えている。この靴底本体１７の底面には、多数の突起１９が形成されている。底面のうち突起１９以外の部分は、平坦部２１である。靴底本体１７及び突起１９は、一体的に成形されている。靴底本体１７及び突起１９は、ゴム又は合成樹脂を主成分とする組成物から成形されている。
【００２８】
図４は、蹴足靴体３の突起１９が示された拡大斜視図である。この突起１９は、図２に示された軸足靴体１の突起７と類似の形状であり、底面２２を備えている。図１（ｂ）と図４との対比から明らかなように、図４における矢印Ｂの方向が踵方向である。この突起１９の側壁は、曲面である踵側壁２３と矩形の平面である爪先側壁２５とからなる。踵側壁２３は、踵方向に凸な形状である。すなわち、この突起１９は、踵方向に凸であり爪先方向に凸でないものである。
【００２９】
図１（ｂ）において符号Ｔｋで示される矢印は、トップ位置で蹴足にかかる力のベクトルである。また、符号Ｉｋで示される矢印は、インパクト直前で蹴足にかかる力のベクトルである。トップ位置からインパクト直前にかけてのスイングにおいて蹴足にかかる力の位置と方向とは、矢印Ｔｋの状態から矢印Ｉｋの状態へと、図においてほぼ時計回り方向に刻々と変化する。
【００３０】
前述のように踵側壁２３は踵方向に凸な形状なので、矢印Ｔｋの状態から矢印Ｉｋの状態へと力のベクトルが移行するいずれの時点においても、踵側壁２３のいずれかの部分がベクトル方向とほぼ直交する。これにより、蹴足靴体３のスリップが有効に抑制される。
【００３１】
踵側壁２３の形状は踵方向に凸であれば足り、その形状は制限されない。また、踵側壁２３と靴底本体１７とのなす内角は、軸足靴体１の爪先側壁１３と同様に６０°以上１２０°以下が好ましく、８０°以上１２０°以下が特に好ましい。また、突起１９の高さＨは、軸足靴体１の突起７と同様に２ｍｍ以上２５ｍｍ以下が好ましく、５ｍｍ以上１２ｍｍ以下が好ましい。
【００３２】
軸足靴体１及び蹴足靴体３のそれぞれにおける、靴底本体５、１７の底面積に占める突起７、１９の合計接地面積の比率（接地面積率）は、２０％以上８０％以下が好ましい。接地面積率が上記範囲未満であると、突起７、１９の剛性が不足して不安定となってしまうことがある。この観点から、接地面積率は４０％以上が特に好ましい。逆に、接地面積率が上記範囲を超えると、接地圧が不足してしまうことがある。この観点から、接地面積率は７０％以下が特に好ましい。なお、靴底本体５、１７の底面積とは、底面が平坦である（すなわち突起７、１９が形成されていない）と仮定されたときの面積を意味する。また、突起７、１９の接地面積は突起７、１９の底面１１、２２の面積を意味し、例えば図２及び図４に示された突起７、１９では略半円の面積が接地面積となる。そして、合計接地面積とは、軸足靴体１及び蹴足靴体３のそれぞれにおいて、形成されている全ての突起７、１９の接地面積の合計を意味する。
【００３３】
軸足靴体１及び蹴足靴体３のそれぞれにおける突起７、１９の数は、１０個以上１０００個以下が好ましい。突起７、１９の数が上記範囲未満であると、突起７、１９が全く存在しない広面積な領域が生じ、例えばこの領域が種子骨の直下に位置した場合等において歩行時の防滑性能が不十分となってしまうことがある。この観点から、突起７、１９の数は４０個以上が特に好ましい。逆に、突起７、１９の数が上記範囲を超えると、個々の突起７、１９のサイズが小さくなって剛性が不十分となってしまうことがある。この観点から、突起７、１９の数は２００個以下が特に好ましい。
【００３４】
図１（ａ）に示された軸足靴体１では、ほぼ全ての突起７が爪先方向に凸とされているが、爪先方向に凸な突起７と爪先方向に凸でない突起とが併存してもよい。この場合でも、防滑性能維持の観点から、全突起の数に占める爪先方向に凸な突起７の数の比率は５０％以上が好ましく、７５％以上が特に好ましい。
【００３５】
図１（ｂ）に示された蹴足靴体３では、ほぼ全ての突起１９が踵方向に凸とされているが、踵方向に凸な突起１９と踵方向に凸でない突起とが併存してもよい。この場合でも、防滑性能維持の観点から、全突起の数に占める踵方向に凸な突起１９の数の比率は５０％以上が好ましく、７５％以上が特に好ましい。
【００３６】
軸足靴体１の爪先側壁１３及び蹴足靴体３の踵側壁２３の水平断面形状は、例えば下記の方法によって設計されるのが好ましい。まず、ゴルファーにゴルフスイングをさせ、スイング中の水平方向及び鉛直方向の床反力を三次元床反力計で測定し、鉛直荷重に対する水平荷重の比率を算出する。次に、この比率が最大値となる時点であるピーク時点を決定する。つぎに、この比率が最大値に向かって上昇している段階にあってかつこの比率が最大値の６０％となる時点である開始時点と、この比率が最大値から下降している段階にあってかつこの比率が最大値の６０％となる時点である終了時点とを決定する。次に、この開始時点と終了時点との間の、所定間隔の三次元床反力データの水平成分ベクトルをその原点を一致させて並べる。次に、これらのベクトルの前端を結ぶ線である基準線を想定する。そして、この基準線を所定の比率で変倍し、得られた線とほぼ同等の水平断面形状となるように、軸足靴体１の爪先側壁１３及び蹴足靴体３の踵側壁２３を設計する。このような測定方法は、例えば特願２０００−２１９４３１に開示されている。
【００３７】
軸足靴体１及び蹴足靴体３の突起７、１９の形状は、図２及び図４に示されたものには制限されない。図５（ａ）から図５（ｃ）は、軸足靴体１及び蹴足靴体３に採用されうる他の突起の一例が示された斜視図である。
【００３８】
図５（ａ）に示される突起２７は、図２に示された突起７が斜めに切断された形状を備えている。この突起２７は、矢印Ｃで示される方向に凸である側壁２９を備えている。この突起２７が軸足靴体１に採用される場合は、矢印Ｃで示される方向が爪先方向とされる。また、この突起２７が蹴足靴体３に採用される場合は、矢印Ｃで示される方向が踵方向とされる。
【００３９】
図５（ｂ）に示される突起３１は、円筒体がその軸に沿って切断された形状を備えている。この突起３１は、矢印Ｄで示される方向に凸である側壁３３を備えている。この突起３１が軸足靴体１に採用される場合は、矢印Ｄで示される方向が爪先方向とされる。また、この突起３１が蹴足靴体３に採用される場合は、矢印Ｄで示される方向が踵方向とされる。
【００４０】
図５（ｃ）に示される突起３５は、図５（ｂ）に示された突起３１が斜めに切断された形状を備えている。この突起３５は、矢印Ｅで示される方向に凸である側壁３７を備えている。この突起３５が軸足靴体１に採用される場合は、矢印Ｅで示される方向が爪先方向とされる。また、この突起３５が蹴足靴体３に採用される場合は、矢印Ｅで示される方向が踵方向とされる。
【００４１】
図６（ａ）は本発明の他の実施形態にかかるゴルフ靴の軸足靴体３９が示された底面図であり、図６（ｂ）はこのゴルフ靴の蹴足靴体４１が示された底面図である。
【００４２】
軸足靴体３９は、靴底本体４３に多数の突起４５を備えている。突起４５の形状は図１（ａ）に示された軸足靴体１の突起７とほぼ同様であり、概ね爪先方向に凸な爪先側壁４７と、平面である踵側壁４９とを備えている。すなわち、突起４５は、概ね爪先方向に凸な形状である。従って、トップ位置からインパクト直前にかけて、矢印Ｔｊの状態から矢印Ｉｊの状態へと力のベクトルが移行するいずれの時点においても、爪先側壁４７のいずれかの部分がベクトル方向にほぼ直交する。これにより、軸足靴体３９のスリップが防止される。
【００４３】
これらの突起４５は、爪先方向に凸な線に沿って形成されている。従って、矢印Ｔｊの状態から矢印Ｉｊの状態へと力のベクトルが移行するいずれの時点においても、ベクトルがその中心近傍を通過する爪先側壁４７を備えた突起４５が存在する。これにより、軸足靴体３９のスリップがさらに防止される。スイングの進行に伴い軸足は踵近傍を軸として回転するが、爪先方向に凸である線に沿って突起４５が形成されておればこの回転が円滑になり、ゴルファーがスイングしやすくなる。
【００４４】
蹴足靴体４１は、靴底本体５１に多数の突起５３を備えている。突起５３の形状は図１（ｂ）に示された蹴足靴体３の突起１９とほぼ同様であり、概ね踵方向に凸な踵側壁５５と、平面である爪先側壁５７とを備えている。すなわち、突起５３は、概ね踵方向に凸な形状である。従って、トップ位置からインパクト直前にかけて、矢印Ｔｋの状態から矢印Ｉｋの状態へと力のベクトルが移行するいずれの時点においても、踵側壁５５のいずれかの部分がベクトル方向にほぼ直交する。これにより、蹴足靴体４１のスリップが防止される。
【００４５】
これらの突起５３は、踵方向に凸な線に沿って形成されている。従って、矢印Ｔｋの状態から矢印Ｉｋの状態へと力のベクトルが移行するいずれの時点においても、ベクトルがその中心近傍を通過する踵側壁５５を備えた突起５３が存在する。これにより、蹴足靴体４１のスリップがさらに防止される。スイングの進行に伴い蹴足は爪先傍を軸として回転するが、踵方向に凸である線に沿って突起５３が形成されておればこの回転が円滑になり、ゴルファーがスイングしやすくなる。
【００４６】
軸足靴体３９の突起４５が沿う爪先方向に凸な線、及び蹴足靴体４１の突起５３が沿う踵方向に凸な線は、前述の三次元床反力データの水平成分ベクトルから得られる基準線と相似な形状が好ましい。
【００４７】
【実施例】
以下、実施例によって本発明の効果が明らかにされるが、この実施例の記載に基づいて本発明が限定的に解釈されるべきでないことはもちろんである。
【００４８】
［実施例１］
ブタジエンゴムを主成分とするゴムを金型に仕込んで加熱・架橋させ、靴底本体及び突起を備えた靴底を成形した。この靴底にアッパー部、インソール等を取り付けて、実施例１のゴルフ靴を得た。このゴルフ靴の軸足靴体の突起の形状と配置とは、図１（ａ）に示される通りである。また、蹴足靴体の突起の形状と配置とは、図１（ｂ）に示される通りである。この軸足靴体及び蹴足靴体の接地面積率は、ともに約５０％である。
【００４９】
［実施例２］
成形金型を変更して靴底のパターンを変更した他は実施例１と同様にして、実施例２のゴルフ靴を得た。このゴルフ靴の軸足靴体の突起の形状と配置とは、図６（ａ）に示される通りである。また、蹴足靴体の突起の形状と配置とは、図６（ｂ）に示される通りである。この軸足靴体及び蹴足靴体の接地面積率は、ともに約５０％である。
【００５０】
［比較例１］
成形金型を変更して靴底のパターンを変更した他は実施例１と同様にして、比較例１のゴルフ靴を得た。このゴルフ靴の軸足靴体及び蹴足靴体は、底面に幅方向（打撃方向）に延びる直線状の筋溝を多数備えたものである。この軸足靴体及び蹴足靴体の接地面積率は、ともに約５０％である。軸足靴体のパターンと蹴足靴体のパターンとは、左右反転形状である。
【００５１】
［比較例２］
成形金型を変更して靴底のパターンを変更した他は実施例１と同様にして、比較例２のゴルフ靴を得た。このゴルフ靴の軸足靴体及び蹴足靴体は、底面に多数の突起を備えている。この突起は、水平断面が円形である（すなわち円柱状突起）。この軸足靴体及び蹴足靴体の接地面積率は、ともに約５０％である。軸足靴体のパターンと蹴足靴体のパターンとは、左右反転形状である。
【００５２】
［ゴルフ靴の評価］
右利きのゴルファー１０名それぞれに、各ゴルフ靴を着用させ、ゴルフ場のティグラウンドでドライバーにてゴルフボールを打撃させた。そして、防滑性能とスイングしやすさとを、「１」から「５」の５段階で官能評価させた。防滑性能については、最もスリップしにくいものを「５」とし、最もスリップしやすいものを「１」とした。また、スイングしやすさについては、最もしやすいものを「５」とし、最もしにくいものを「１」とした。１０名のゴルファーの評価点の平均値が、下記の表Ｉに示されている。
【００５３】
【表１】
0004485029.tif 000002
【００５４】
表Ｉにおいて、実施例１及び２のゴルフ靴は比較例１及び２のゴルフ靴に比べて評価点が優れている。このことから、本発明の優位性が確認された。
【００５５】
【発明の効果】
以上説明されたように、本発明のゴルフ靴は、旋回運動（ボディターン）と並進運動とが混合された非常に複雑な運動様式であるゴルフスイングにおいて、優れた防滑性能を発揮する。このゴルフ靴をゴルファーが着用することにより、スイング中のスリップが防止される。これにより、スイングフォームの乱れによるミスショットが抑制される。
【図面の簡単な説明】
【図１】図１（ａ）は本発明の一実施形態にかかるゴルフ靴の軸足靴体が示された底面図であり、図１（ｂ）はこのゴルフ靴の蹴足靴体が示された底面図である。
【図２】図２は、軸足靴体の突起が示された拡大斜視図である。
【図３】図３は、図２のIII−III線に沿った断面斜視図である。
【図４】図４は、蹴足靴体の突起が示された拡大斜視図である。
【図５】図５（ａ）から図５（ｃ）は、軸足靴体及び蹴足靴体に採用されうる他の突起の一例が示された斜視図である。
【図６】図６（ａ）は本発明の他の実施形態にかかるゴルフ靴の軸足靴体が示された底面図であり、図６（ｂ）はこのゴルフ靴の蹴足靴体が示された底面図である。
【符号の説明】
１・・・軸足靴体
３・・・蹴足靴体
５、１７・・・靴底本体
７、１９・・・突起
９、２１・・・平坦部
１１、２２・・・底面
１３、２５・・・爪先側壁
１５、２３・・・踵側壁
【図１】
0004485029.tif 000003
【図２】
0004485029.tif 000004
【図３】
0004485029.tif 000005
【図４】
0004485029.tif 000006
【図５】
0004485029.tif 000007
【図６】
0004485029.tif 000008